(57)【特許請求の範囲】
【請求項１】
地上波放送受信機およびディジタル放送受信機を備えるテレビジョン信号受信装置において、
前記地上波放送受信機への電源供給をオン／オフする第１スイッチ手段、
前記ディジタル放送受信機への電源供給をオン／オフする第２スイッチ手段、
主電源のオン／オフを判別して前記第１スイッチ手段および前記第２スイッチ手段の切り換えを制御するマイコン、および
前記マイコンに常時電源供給する供給手段を備え、
前記マイコンは、主電源がオン状態であるとき前記第１スイッチ手段および前記第２スイッチ手段をオンし、前記主電源がオフ状態であるとき前記第１スイッチ手段をオフし前記第２スイッチ手段を間欠的にオン／オフすることを特徴とする、テレビジョン信号受信装置。
【請求項２】
前記マイコンは、ディジタル放送番組を予約する予約モードが設定されたとき、前記主電源のオフ状態に拘わらず、前記ディジタル放送番組の放送時間だけ少なくとも前記第２スイッチ手段をオンする、請求項１記載のテレビジョン受信装置。
【請求項３】
前記マイコンは、有料のディジタル放送番組を購入する購入モードが設定されたとき、前記主電源のオフ状態に拘わらず、番組購入が終了するまで少なくとも前記第２スイッチ手段をオンする、請求項１または２記載のテレビジョン信号受信装置。
【請求項４】
前記マイコンは、有料のディジタル放送チャネルの視聴を契約する新規契約モードが設定されたとき、前記主電源のオフ状態に拘わらず、所定期間少なくとも前記第２スイッチ手段をオンする、請求項１ないし３のいずれかに記載のテレビジョン信号受信装置。
【発明の詳細な説明】
【０００１】
【産業上の利用分野】
この発明はテレビジョン信号受信装置に関し、特にたとえばディジタル放送受信機を備える、テレビジョン信号受信装置に関する。
【０００２】
【従来の技術】
従来のこの種のテレビジョン信号受信装置では、ディジタル放送の放送局からのメッセージや番組情報などを受信するため、テレビジョン信号受信装置の主電源がオフ状態でもディジタル放送受信機の電源はオンされ、上述のような情報の取りこぼしが防止されていた。ただし、主電源がオフ状態とは、テレビジョンマイコン（ＴＶマイコン）のみが常に電源オンの状態をいう。なお、ＣＳ放送を視聴しない場合には、メニューでＣＳ放送を視聴しないモードに設定することができ、このモードが設定されるとディジタル放送受信機の電源は常時オフにされる。
【０００３】
【発明が解決しようとする課題】
しかし、この従来技術では、上述のように、ディジタル放送受信機の電源は常時オンされているため、消費電力が大きくなるという問題があった。ちなみに、ＣＳチューナを内蔵しないテレビジョン信号受信装置において、主電源オン時の消費電力は１００Ｗ〜２００Ｗであり、主電源がオフ状態での消費電力は２Ｗ程度であるのに対して、ディジタル放送受信機単体の消費電力は２５Ｗにもなっていた。
【０００４】
それゆえに、この発明の主たる目的は、消費電力を削減できる、ディジタル放送受信機内蔵のテレビジョン信号受信装置を提供することである。
【０００５】
【課題を解決するための手段】
この発明は、地上波放送受信機およびディジタル放送受信機を備えるテレビジョン信号受信装置において、地上波放送受信機への電源供給をオン／オフする第１スイッチ手段、ディジタル放送受信機への電源供給をオン／オフする第２スイッチ手段、主電源のオン／オフを判別して第１スイッチ手段および第２スイッチ手段の切り換えを制御するマイコン、およびマイコンに常時電源供給する供給手段を備え、マイコンは、主電源がオン状態であるとき第１スイッチ手段および第２スイッチ手段をオンし、主電源がオフ状態であるとき第１スイッチ手段をオフし第２スイッチ手段を間欠的にオン／オフすることを特徴とする、テレビジョン信号受信装置である。
【０００６】
【作用】
たとえば、テレビジョン信号受信装置にはディジタル放送受信機とともに、地上波放送受信機が設けられる。テレビジョン信号受信装置の主電源がオフ状態のとき、ＴＶマイコンはディジタル放送受信機を１０分毎にオン／オフする。ただし、たとえば新規契約モードが設定された場合には、モード設定から１週間ディジタル放送受信機がオン状態とされる。
【０００７】
【発明の効果】
この発明によれば、テレビジョン信号受信装置の主電源がオフ状態のとき、ディジタル放送受信機を間欠的にオン／オフするようにしたので、消費電力を削減することができる。
この発明の上述の目的，その他の目的，特徴および利点は、図面を参照して行う以下の実施例の詳細な説明から一層明らかとなろう。
【０００８】
【実施例】
図１を参照して、この実施例のテレビジョン受像機１０は、ディジタル放送受信機１２および地上波放送受信機１４を備える。ディジタル放送受信機１２はＣＳチューナ１６を含み、ＣＳチューナ１６にはＣＳ放送用アンテナ１８が接続される。ＣＳ放送用アンテナ１８で受信されたＣＳ放送、メッセージおよび番組情報などがＣＳチューナ１６に与えられる。ＣＳチューナ１６では、所望のチャネルを含むトランスポンダが選択される。選択された放送データはＣＳ信号処理回路２０に与えられ、ＣＳ信号処理回路２０でＱＰＳＫ復調、パケット分離およびＭＰＥＧ復調などの処理が施される。これによって得られた映像データは、ＮＴＳＣエンコーダ２２によってＮＴＳＣフォーマットのコンポジット映像信号（アナログ信号）に変換され、このコンポジット映像信号が端子２４に与えられる。ディジタル放送受信機１２はまた、ＣＳマイコン２６を含み、ＣＳマイコン２６によって受信チャネルの選択やＮＴＳＣ方式によるエンコードの指示が与えられる。
【０００９】
地上波放送受信機１４は地上波放送チューナ２８を含み、地上波放送チューナ２８には地上波放送用アンテナ３０が接続される。したがって、地上波放送用アンテナ３０で受信された地上波放送のチャネルは地上波放送用チューナ２８で選択される。選択されたチャネルのテレビジョン信号の中間周波信号（ＩＦ信号）が地上波放送用チューナ２８によって取り出される。取り出された映像（ＩＦ）信号は、地上波信号処理回路３２で増幅および検波などの処理を施され、これによって生成されたコンポジット映像信号が端子３４に与えられる。
【００１０】
地上波放送受信機１４はまた、ＴＶマイコン３６を含み、ＴＶマイコン３６は図示しないリモコンのキー入力に応じて地上波チャネルの選択指令を地上波放送用チューナ２８に与える。また、ＣＳマイコン２６とＴＶマイコン３６とはバスによって接続されており、ＴＶマイコン３６はリモコンのキー入力に応じてＣＳチャネルの選択指令をＣＳマイコン２６に与える。一方、ＣＳマイコン２６がＣＳ放送信号から検出した情報（放送局からのメッセージや番組情報）などは、ＴＶマイコン３６に与えられる。すなわち、ＣＳマイコン２６とＴＶマイコン３６とは双方向でデータをやり取りする。
【００１１】
スイッチＳＷ１はＴＶマイコン３６の指示に従って切り換えられ、端子２４に与えられたＣＳ放送のコンポジット映像信号または端子３４に与えられた地上波放送のコンポジット映像信号が選択される。すなわち、地上波放送の番組を視聴している場合には端子３４が選択され、ＣＳ放送の番組が視聴されている場合（ＣＳモード）には端子２４が選択される。スイッチＳＷ１で選択されたコンポジット映像信号は映像信号処理回路３８に与えられ、映像信号処理回路３８では色復調などの処理が施される。このため、選択されたチャネルの映像がＣＲＴ４０から出力される。
【００１２】
テレビジョン受像機１０はまた、商用のＡＣ電源を所定のＤＣ電源に変換する電源回路４２を含む。電源回路４２は、ＴＶマイコン３６に常に電源を付与するとともに、スイッチ回路４４を介してテレビジョン受像機１０に設けられたディジタル放送受信機１２以外のそれぞれの回路に電源を付与する。スイッチ回路４４は、ＴＶマイコン３６によってオン／オフされ、テレビジョン受像機１２本体に設けられたメインスイッチ４６がオフされる（主電源がオフされる）と、全てのスイッチがオフされる。また、ＣＳチューナ１６には、スイッチＳＷ２を介して電源が付与される。スイッチＳＷ２も、ＴＶマイコン３６によってオン／オフされる。テレビジョン受像機１０の主電源がオフ状態となると、間欠モードが設定される。すなわち、ＴＶマイコン３６によってたとえば１０分毎にスイッチＳＷ２がオン／オフされ、電源が間欠的にディジタル放送受信機１２に供給される。なお、主電源がオン状態では、スイッチ回路４４およびスイッチＳＷ２はオンされる。
【００１３】
しかし、タイマ予約モード、新規契約モードまたはペー・パー・ビュー（ＰＰＶ）番組購入モードなどの所定モードが設定されている場合には、これらのモードに応じてスイッチＳＷ２は切り換えられる。また、ＥＰＧ（Ｅｌｅｃｔｒｉｃ  Ｐｒｏｇｒａｍ  Ｇｕｉｄｅ）を参照して設定することができ、設定が終了するとモード情報はＣＳマイコン２６からＴＶマイコン３６に与えられる。
【００１４】
タイマ予約モードが設定されかつ主電源がオン状態のときに予約時間になると、予約した番組のＣＳチャネルが強制的に選択され、予約番組がＣＲＴ４０から出力される。一方、主電源がオフ状態のときに予約時間になると、ＴＶマイコン３６が主電源をオンする。すなわち、スイッチ回路４４およびスイッチＳＷ２はオンされる。そして、ＣＳマイコン２６によって予約番組のチャネルがＣＳチューナ１６によって選局される。
【００１５】
新規契約モードが設定されると、ＣＳチューナ１６のＩＣカードの鍵開けが終了するまでの期間、ディジタル放送受信機１２の電源は常時オンにされる。この実施例では、鍵開けが終了するまでの期間は、１週間に設定される。そして、ＩＣカードの鍵開けが終了すると、ＣＳマイコン２６はＴＶマイコン３６へ鍵開けを通知し、ＴＶマイコン３６は新規契約モードを解除する。
【００１６】
ＰＰＶ番組購入モードが設定されると、ディジタル放送受信機１２の電源は番組購入が終了するまでオンされる。ＰＰＶとは、たとえば２時間の所望の映画番組だけをその都度有料で見られるようにする契約方法をいう。そして、見たＰＰＶ番組の情報が月末に自動的に電話線によって顧客管理システムに伝送されて課金されることになる。
【００１７】
間欠モードが設定されると、放送局から与えられるメッセージや番組情報などを取りこぼさないように、間欠的にスイッチＳＷ２はオン／オフされる。この実施例では、１０分毎にスイッチＳＷ２が切り換えられ、１０分という時間はＴＶマイコン３６に設けられた間欠タイマ３６ａによって計測される。なお、放送局からのメッセージや番組情報などは、数十分から数時間の間隔で放送局から送られ、次回ＣＳ放送を視聴する際に映像に重畳され、ＣＲＴ４０から出力される。放送局からのメッセージとしては、“購入ができません。電話線接続をご確認下さい。”、“課金情報を送信できません。電話線接続をご確認下さい。”、“ご契約ありがとうございます。本日よりご視聴いただけます。”などがある。
【００１８】
上述のような動作を、ＴＶマイコン３６は図２ないし図５に示すフロー図に従って処理する。図２に示すように、テレビジョン受像機１０の主電源がオンされると処理を開始し、ステップＳ１でテレビジョン受像機１０が主電源がオフ状態かどうかを判断する。ここで、”ＹＥＳ”であれば、図５に示すステップＳ５５に進むが、”ＮＯ”であれば、ステップＳ３で間欠タイマ３６ａをオフする。続く、ステップＳ５でスイッチＳＷ２をオンし、ディジタル放送受信機１２の電源をオンする。ステップＳ７では、ＣＳモードかどうかを判断し、”ＮＯ”であれば、選択された地上波放送のチャネルを選局し、ステップＳ１に戻るが、”ＹＥＳ”であれば、ステップＳ９で放送局からのメッセージを受信したかどうかを判断する。ここで、”ＹＥＳ”であれば、ステップＳ１１で受信したメッセージを表示しステップＳ１５に進むが、”ＮＯ”であれば、そのままステップＳ１５に進む。ステップＳ１５では、選局操作がされたかどうかを判断する。ここで、”ＹＥＳ”であれば、操作されたチャネルの選局をＣＳマイコン２６に指示しステップＳ１９に進むが、”ＮＯ”であれば、そのままステップＳ１９に進む。ステップＳ１９では、新規契約の操作が行われたかどうかを判断する。ここで、”ＹＥＳ”であれば、すなわちＣＳマイコン２６から新規契約の通信データが与えられると、続くステップＳ２１で新規契約モードを設定し、図３に示すステップＳ２３に進む。一方、ステップＳ１９で”ＮＯ”であれば、そのままステップＳ２３に進む。
【００１９】
図３に示すように、ステップＳ２３では、ＰＰＶ番組購入の操作がされたかどうかを判断する。ここで、“ＹＥＳ”であれば、すなわちＣＳマイコン２６からＰＰＶ番組購入の指示が与えられると、ステップＳ２５でＰＰＶ購入モードを設定しステップＳ２７に進むが、“ＮＯ”であれば、そのままステップＳ２７に進む。ステップＳ２７では、番組予約の操作が実行されたかどうかを判断する。ここで、“ＹＥＳ”であれば、すなわちＣＳマイコン２６から番組予約の指示が与えられると、ステップＳ２９で番組予約モードを設定しステップＳ３１に進むが、“ＮＯ”であればそのままステップＳ３１に進む。ステップＳ３１では、新規契約モードが設定されているかどうかを判断し、“ＮＯ”であればステップＳ３７に進むが、“ＹＥＳ”であれば、ステップＳ３３で新規契約モードを設定してから１週間経過したかどうかを判断する。ここで、“ＹＥＳ”であれば、ステップＳ３５で新規契約モードを解除してステップＳ３７に進むが、“ＮＯ”であれば、そのままステップＳ３７に進む。ステップＳ３７では、ＰＰＶ購入モードが設定されているかどうかを判断する。ここで“ＮＯ”であれば、図４に示すステップＳ４３に進むが、“ＹＥＳ”であれば、ステップＳ３９でＰＰＶ番組購入の通知があったかどうかを判断する。ここで、“ＮＯ”であればステップＳ４３に進むが、“ＹＥＳ”であれば、ステップＳ４１でＰＰＶ購入モードを解除してステップＳ４３に進む。
【００２０】
図４に示すように、ステップＳ４３では、番組予約モードが設定されているかどうかを判断する。ここで、“ＮＯ”であればステップＳ１に戻るが、“ＹＥＳ”であれば、ステップＳ４５で放送開始時刻かどうかを判断する。ここで、“ＹＥＳ”であれば、ＣＳチューナ２６に予約実行の指示を与えステップＳ１に戻るが、“ＮＯ”であればステップＳ４９で放送終了時刻かどうかを判断する。ここで、“ＮＯ”であれば、ステップＳ１に戻るが、“ＹＥＳ”であれば、ステップＳ５１でＣＳチューナ１６に終了を指示し、ステップＳ５３で予約モードを解除してステップＳ１に戻る。
【００２１】
ステップＳ１で”ＹＥＳ”であれば、すなわちテレビジョン受像機１０が主電源がオフ状態の場合には、図５に示すように、ステップＳ５５で新規契約モードまたはＰＰＶ購入モードが設定されているかどうかを判断する。ここで、”ＹＥＳ”であれば、スイッチＳＷ２をオンし、すなわちディジタル放送受信機１２の電源をオンし、図３に示すステップＳ３１に進むが、”ＮＯ”であれば、ステップＳ５９で番組予約モードが設定されているかどうかを判断する。ここで、”ＮＯ”であればステップＳ６５に進むが、”ＹＥＳ”であれば、ステップＳ６１で放送開始時刻かどうかを判断する。ここで、”ＮＯ”であればステップＳ６５に進むが、”ＹＥＳ”であれば、ステップＳ６３でテレビジョン受像機１０の主電源をオンし、図４に示すステップＳ４７に進む。ステップＳ６５では、間欠タイマ３６ａがオフであるかどうかを判断する。ここで、”ＹＥＳ”であれば、ステップＳ６７で間欠タイマ３６ａをオンし、ステップＳ６９に進むが、”ＮＯ”であれば、そのままステップＳ６９に進む。ステップＳ６９では、間欠タイマ３６ａがタイムアップしたかどうか判断する。ここで、”ＮＯ”であればステップＳ１に戻るが、”ＹＥＳ”であれば、ステップＳ７１でスイッチＳＷ２がオンかどうかを判断する。ここで、”ＹＥＳ”であれば、ステップＳ７３でスイッチＳＷ２をオフしステップＳ７７に進むが、”ＮＯ”であれば、ステップＳ７５でスイッチＳＷ２をオンしステップＳ７７に進む。ステップＳ７７では、間欠タイマ３６ａをリセットしステップＳ１に戻る。
【００２２】
図６に示す、他の実施例のビデオカセットテープレコーダ（ＶＣＲ）５０は、図１実施例のテレビジョン受像機の映像信号処理回路２８およびＣＲＴ４０を除いて、記録再生回路５２およびスイッチＳＷ３が設けられ、マイコン３６がシスコン５４に変えられた以外は同じであるため、重複した説明は省略する。なお、シスコン５４は、図１実施例のマイコン３６と同様の処理をする。
【００２３】
このＶＣＲ５０では、スイッチＳＷ１を介したコンポジット映像信号は記録再生回路５２によって、磁気テープ（図示せず）に記録される。また、記録されたコンポジット映像信号は、記録再生回路５２によって再生される。この再生信号またはスイッチＳＷ１を介したコンポジット映像信号はスイッチＳＷ３で選択され、いずれか一方のコンポジット映像信号がモニタ（図示せず）から出力される。ただし、スイッチＳＷ３は、シスコン５４によってオン／オフされる。
【００２４】
これらの実施例によれば、装置の主電源がオフ状態のとき、間欠的にディジタル放送受信機１２の電源をオン／オフするとともに、番組予約モード、ＰＰＶ購入モードまたは新規契約モードなどのモードに応じて継続的にディジタル放送受信機１２の電源をオンするようにしたので、放送局からのメッセージや番組情報などの取りこぼしがなく、消費電力を軽減することができる。
【００２５】
なお、この実施例では、スイッチＳＷ２を同一間隔でオン／オフするようにしたが、オンまたはオフの期間は異なる期間に設定してもよい。
また、この実施例では、装置本体に設けられたメインスイッチ４６によって主電源がオフ状態にされたとき、ディジタル放送受信機１２の電源を間欠的にオン／オフするようにしたが、リモコンによって主電源がオフ状態にされたときにも、ディジタル放送受信機１２の電源は間欠的にオン／オフされる。
【図面の簡単な説明】
【図１】この発明の一実施例を示すブロック図である。
【図２】図１実施例に示すＴＶマイコンの処理の一部を示すフロー図である。
【図３】図１実施例に示すＴＶマイコンの処理の一部を示すフロー図である。
【図４】図１実施例に示すＴＶマイコンの処理の一部を示すフロー図である。
【図５】図１実施例に示すＴＶマイコンの処理の一部を示すフロー図である。
【図６】他の実施例を示すブロック図である。
【符号の説明】
１０  …テレビジョン受像機
１２  …ディジタル放送受信機
１４  …地上波放送受信機
１６  …ＣＳチューナ
２２  …ＮＴＳＣエンコーダ
２６  …ＣＳマイコン
２８  …地上波放送チューナ
３６  …ＴＶマイコン
４２  …電源回路
４４  …スイッチ回路
４６  …メインスイッチ
５０  …ＶＣＲ
５２  …記録再生回路
５４  …シスコン
【図１】
0003630956.tif 000002
【図２】
0003630956.tif 000003
【図３】
0003630956.tif 000004
【図４】
0003630956.tif 000005
【図５】
0003630956.tif 000006
【図６】
0003630956.tif 000007